【手続補正書】
【提出日】平成15年7月31日(2003.7.31)
【手続補正１】
【補正対象書類名】明細書
【補正対象項目名】全文
【補正方法】変更
【補正の内容】
【特許請求の範囲】
【請求項１】遊技領域に発射する遊技球が供給される発射レールと、発射レールの発射位置に供給された遊技球を発射レールを介して遊技領域に発射する発射装置を備えた弾球遊技機において、
前記発射装置の打球槌が遊技球に当接したときに発生する静電誘導ノイズを軽減するため、前記発射レールと前記発射装置を同電位にする同電位接続手段と、
前記同電位接続手段と電気的に接続されて該同電位接続手段により同電位となった前記発射レールと前記発射装置における帯電電荷を集約して除電する電荷消費手段とを設けたことを特徴とする弾球遊技機のノイズ除去機構。
【請求項２】前記同電位接続手段は前記発射レールを弾球遊技機に取り付けるための発射レール取付面と前記発射装置を弾球遊技機に取り付けるための発射装置取付面とを電気的に接続するものである請求項１に記載の弾球遊技機のノイズ除去機構。
【請求項３】前記電荷消費手段と前記同電位接続手段との電気的な接続は、中継基板を介して配線されるものである請求項１又は２に記載の弾球遊技機のノイズ除去機構。
【請求項４】前記発射装置の発射ハンドルに設けられ遊技者の接触を検知する接触検知部が接続される発射制御装置にノイズ除去手段を設けている請求項１ないし３のいずれか１項に記載の弾球遊技機のノイズ除去機構。
【請求項５】前記ノイズ除去手段は前記接触検知部の信号線に接続されている請求項４に記載の弾球遊技機のノイズ除去機構。
【請求項６】前記ノイズ除去手段は前記同電位接続手段に電気的に接続して接地されている請求項４又は５に記載の弾球遊技機のノイズ除去機構。
【発明の詳細な説明】
【０００１】
【発明の属する技術分野】
この発明は、弾球遊技機における電気ノイズによる制御装置への悪影響を防止する技術に関し、特には遊技球の発射時における放電現象により発生する静電誘導ノイズの除去機構に関する。
【０００２】
【従来の技術】
弾球遊技機には、遊技者の発射操作に応じて遊技球を発射させる遊技領域の形成された遊技盤が弾球遊技機の前面側に設けられている。前記遊技盤には、遊技球が入球可能な複数の入賞口、該入賞口への遊技球の入賞により決定される図柄等を変動及び停止表示する画像表示装置が設けられており、この遊技盤の裏面側には該画像表示装置への図柄等の表示制御を行う図柄制御基板、前記入賞口に入球した遊技球を集合させる集合路を有する集合板が設けられている。
【０００３】
そして、この弾球遊技機の集合板には前記画像表示装置における変動及び停止表示する図柄等に対応して発生させる演出音等を制御する音声制御基板、遊技者の遊技状態を報知するランプ表示器の表示制御を行うランプ制御基板が配置されている等、弾球遊技機には遊技に関する制御を行う複数の制御装置（この実施例では各種の制御基板）が備えられている。なお、前記図柄制御基板や音声制御基板等の各種制御基板はプラスチック製等の基板収納ボックスに納められ、この基板収納ボックスがねじ等で遊技盤の裏面側や集合板に固定されている。
【０００４】
また、前記弾球遊技機の裏面側における遊技盤や集合板以外の部分には、遊技施設の遊技機設置島から投入される払出用の遊技球を貯留する貯留タンク、貯留タンクから遊技球を払出装置へ流下させる複数の誘導樋が形成された機構板が設けられている。さらに、前記機構板には遊技球の払出条件成立時の遊技球の払い出しを制御する払出制御基板、遊技施設に設けられた外部電源から供給される交流電力を受電した後に所定の直流電力に変換する電源基板、前記各種の制御基板を制御する主制御基板が配置されており、前記払出制御基板等の各種制御基板についても前記基板収納ボックスに納められ、該基板収納ボックスがねじ等により機構板に固定されている。
【０００５】
前記弾球遊技機では、遊技者は弾球遊技機の右下に配設された発射ハンドルを操作して、その背後であって該弾球遊技機の裏面側に設けた発射装置と発射制御装置により、発射レールの発射位置に供給された遊技球を前記遊技領域に発射させる。
【０００６】
このような従来の弾球遊技機においては、発射レールの発射位置に供給される遊技球は絶縁された機構板の誘導樋等を発射レールに向けて流下する間に遊技球が前記誘導樋等の壁面との摩擦によりに帯電し、該遊技球を遊技領域に案内する金属製の発射レールもこれに供給される帯電した遊技球との接触により帯電している。また、発射装置の打球槌も該打球槌を作動させる機構を構成する金属部材同士の摩擦等により帯電し、打球槌が遊技球を遊技領域へ発射させるために遊技球に当接した際、遊技球と打球槌との帯電電位の相違や極性の相違により両者間で放電が起きるおそれがある。さらに、発射ハンドルの内部には遊技者の該発射ハンドルへの接触を検知する接触検知部が設けられているとともに、前記発射ハンドルは弾球遊技機前面の下側球受け皿の外側に突出して配設されており、発射ハンドルを介して接触検知部より侵入する外部ノイズや人為的なノイズに対しこの弾球遊技機は極めて無防備な状況にある。上記のような放電現象により生じる静電誘導ノイズや接触検知部より侵入する外部ノイズ等が前記主制御基板を始めとする複数の制御装置に伝わると、該複数の制御装置の誤動作や弾球遊技機に設けられた電子機器の破損を引き起こすおそれがある。
【０００７】
【発明が解決しようとする課題】
この発明は、帯電した遊技球の発射時における放電現象等により生じる静電誘導ノイズの除去機構を提案するものであり、これによって弾球遊技機に設けられた複数の制御装置の誤動作や電子機器の破損を防止することを目的とする。
【０００８】
【課題を解決するための手段】
すなわち、請求項１の発明は、遊技領域に発射する遊技球が供給される発射レールと、発射レールの発射位置に供給された遊技球を発射レールを介して遊技領域に発射する発射装置を備えた弾球遊技機において、前記発射装置の打球槌が遊技球に当接したときに発生する静電誘導ノイズを軽減するため、前記発射レールと前記発射装置を同電位にする同電位接続手段と、前記同電位接続手段と電気的に接続されて該同電位接続手段により同電位となった前記発射レールと前記発射装置における帯電電荷を集約して除電する電荷消費手段とを設けたことを特徴とする弾球遊技機のノイズ除去機構に係る。
【０００９】
請求項２の発明は、請求項１において、前記同電位接続手段は前記発射レールを弾球遊技機に取り付けるための発射レール取付面と前記発射装置を弾球遊技機に取り付けるための発射装置取付面とを電気的に接続するものである弾球遊技機のノイズ除去機構に係る。
【００１０】
請求項３の発明は、請求項１又は２において、前記電荷消費手段と前記同電位接続手段との電気的な接続は、中継基板を介して配線されるものである弾球遊技機のノイズ除去機構に係る。
【００１１】
請求項４の発明は、請求項１ないし３のいずれか１項において、前記発射装置の発射ハンドルに設けられ遊技者の接触を検知する接触検知部が接続される発射制御装置にノイズ除去手段を設けている弾球遊技機のノイズ除去機構に係る。
【００１２】
請求項５の発明は、請求項４において、前記ノイズ除去手段は前記接触検知部の信号線に接続されている弾球遊技機のノイズ除去機構に係る。
【００１３】
請求項６の発明は、請求項４又は５において、前記ノイズ除去手段は前記同電位接続手段に電気的に接続して接地されている弾球遊技機のノイズ除去機構に係る。
【００１４】
【発明の実施の形態】
以下添付の図面に基づきこの発明の好適な実施形態を説明する。
図１はこの発明の一実施例に係る弾球遊技機全体の正面図、図２は同遊技機全体の裏面図、図３は機枠等への発射レール、発射ハンドル、発射装置及び発射制御装置の取付け状況を示す斜視図、図４は発射レール、発射装置及び発射制御装置の構成を示す斜視図、図５は発射レールと発射装置の正面図、図６は発射装置の組立て状態を示す斜視図、図７は発射レールと発射装置における帯電電荷を除電するノイズ除去機構を示す概略図、図８は発射ハンドルの機構を示す斜視図、図９は発射制御装置のノイズ除去機構を示す概略図である。
【００１５】
図１に示す弾球遊技機１０には、額縁形状からなる機枠１１の内側に遊技者の発射操作に応じて発射される遊技球の入球可能な複数の入賞口（図示せず）を有する遊技領域が形成された遊技盤Ｍが収容されている。また、前記弾球遊技機１０の前面側にはガラス枠部材３０、払い出された遊技球を受けるための上側球受け皿３２、該上側球受け皿３２の飽和時に遊技球を受け止めるための下側球受け皿３４、遊技状態を報知する枠飾りランプ３５、前記上側球受け皿３２に内蔵されて音声や効果音を発して遊技状態を遊技者に報知するスピーカＳ、遊技者の発射操作に応じて遊技球を遊技盤Ｍに向けて発射するための発射装置Ｅ、該発射装置Ｅの発射ハンドルＥ１がそれぞれ組み付けられている。
【００１６】
さらに、この弾球遊技機１０にはカードユニット１５１が設けられており、貸球情報が記録されたプリペードカードをカードユニット１５１のカード挿入口Ｕに挿入すると、該プリペードカードに記録されている貸出可能度数が球貸し操作部５０の度数表示部に表示され、遊技者が該球貸し操作部５０の球貸ボタンを操作することにより所定数の貸球が前記上側球受け皿３２に払い出され、遊技者が遊技を中止したいときには、前記球貸し操作部５０のカード返却ボタンを操作することによりプリペードカードがカード挿入口Ｕから排出されるようになっている。
【００１７】
図２中の符号１０１は遊技球を貯留する貯留タンク、１０２はタンクレール、１０４は枠用外部出力端子基板、１０５は枠飾りランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００１８】
図３は、機枠１１及び機構板（図示せず）への発射レール２００、発射ハンドルＥ１、発射装置Ｅ及び発射制御装置２０１の取付け状況を示す斜視図であり、発射レール２００、発射装置Ｅ及び発射制御装置２０１の詳細な構成は図４ないし図６に示す。
【００１９】
遊技球２１０は、前記上側球受け皿３２と該上側球受け皿３２の遊技球２１０を発射レール２００の発射位置２０７に供給する遊技球供給装置（図示せず）により前記発射レール２００の発射位置２０７に供給される。そして、前記発射ハンドルＥ１の操作により発射制御装置２０１の発信した信号に基づいて作動する発射装置Ｅの打球槌２０６が、前記発射レール２００の発射位置２０７に供給された遊技球２１０を遊技領域に向けて弾発発射する。
【００２０】
発射装置Ｅにおける打球槌２０６の作動機構は次のとおりである。モータ２１３はその軸のギヤに歯合するモータカム２１１を反時計方向に回転させる。モータカム２１１に設けられた半円形のカムはトルクアーム２１７のカムと係合しており、その係合部が半円形のカムの頂点に達するまでトルクアーム２１７を時計方向に回転させる。トルクアーム２１７が時計方向に回転すると、その中心軸に挿通された駆動軸２２０を介して打球槌２０６が時計方向に回転する。モータカム２１１とトルクアーム２１７との係合部が半円形のカムの頂点に達すると、トルクアーム２１７はモータカム２１１との係合が解除され、巻きばね２１６の弾発力により前記トルクアーム２１７が元の位置まで反時計方向に回転する。これにより、前記トルクアーム２１７の中心軸に駆動軸２２０を介して設けられた打球槌２０６も反時計方向に回転し、該打球槌２０６が発射レール２００の発射位置２０７にある遊技球２１０を巻きばね２１６の弾発力に応じた力で遊技領域に向けて弾発発射する。以後上記の作動がモータ２１３の回転により連続的に繰り返される。
【００２１】
巻きばね２１６の一端はトルクアーム２１７に固定され、他端は駆動軸２２０と同軸で回動自在に設けた巻きばね２１６の強弱調整ギヤ２１５に固定されている。強弱調整ギヤ２１５の外周の一部には歯が刻設され、該強弱調整ギヤ２１５は連動ギヤ２１２を介して連動ラック２２３の左方と歯合している。連動ラック２２３はラックプレート２２４により往復動可能に発射装置取付面２０９に取付けられ、連動ラック２２３の右方にはハンドル連結ギヤ２２１が歯合し、ハンドル連結ギヤ２２１はハンドルカバー２２２と係合している。そして、ハンドルカバー２２２の軸を介して発射ハンドルＥ１が取り付けられている。なお、モータカバー２１４はモータ２１３を保護するものであり、固定リング２１８と安全カバー２１９はトルクアーム２１７を発射装置取付面２０９に配設するためのものである。
【００２２】
上記のような構成において、発射ハンドルＥ１を巻きばね２１６の弾発力に抗して時計方向に回転させることにより、ハンドル連結ギヤ２２１、連動ラック２２３及び連動ギヤ２１２を介して強弱調整ギヤ２１５が反時計方向に回転し、巻きばね２１６の弾発力が増大する。そして、発射ハンドルＥ１の回転量に応じて巻きばね２１６の弾発力が増減して、打球槌２０６により遊技球２１０を遊技領域に弾発発射させる力を調整できる。
【００２３】
なお、前記発射装置Ｅの発射装置取付面２０９は金属製であり、該発射装置Ｅは多くの回転部材等からなっており、発射装置Ｅは樹脂等からなる機枠１１のように電気的に絶縁された部材に取付けられているため、打球槌２０６等を作動させる部材同士の摩擦等により該打球槌２０６を含めた発射装置Ｅには静電気が帯電し易くなっている。
【００２４】
打球槌２０６により弾発発射された遊技球２１０は、発射レール２００に沿って移動し前記遊技領域に到達する。発射レール２００は金属製の樋状部材であり、発射レール２００の発射レール取付面２０８と機枠１１とがねじにより固定されることにより発射レール２００が機枠１１に固定される。前記機枠１１は樹脂等の絶縁性材料で構成されているため、この機枠１１に固定された金属製の発射レール２００は電気的に絶縁されており、該発射レール２００に前記遊技球供給装置によって供給される帯電した遊技球２１０により発射レール２００も帯電することとなる。
【００２５】
そこで、図４及び図７に示すように、前記発射レール２００と発射装置Ｅとの間には請求項１の発明として規定するように、前記帯電した発射装置Ｅの打球槌２０６が帯電した遊技球２１０に当接したときに両者の帯電電位の相違等により発生する静電誘導ノイズを軽減する同電位接続手段２３０に相当する接地線Ｇ１が設けられている。この接地線Ｇ１は請求項２の発明として規定するように、前記発射レール取付面２０８と発射装置取付面２０９とを電気的に接続するものである。この実施例では、前記接地線Ｇ１の両端に該接地線Ｇ１を構成する銅線とつながる圧縮端子を設け、その一端の圧縮端子をねじにより発射レール取付面２０８に固定し、他端の圧縮端子を発射制御装置２０１を前記発射装置取付面２０９に固定するねじ２０５で発射装置取付面２０９に固定することにより、発射レール取付面２０８と発射装置取付面２０９を電気的に接続している。なお、図４中の符号Ｇ２は後述する発射制御装置２０１に設けられたノイズ除去手段３０４を発射装置取付面２０９に電気的に接続する接地線である。
【００２６】
前記接地線Ｇ１により同電位となった発射レール２００と発射装置Ｅにおける帯電電荷は、前記発射レール２００の発射レール取付面２０８と前記ＦＧ中継基板１１３とを接地線Ｇ１と同様な方法で電気的に接続した接地線Ｇ３と、該ＦＧ中継基板１１３と受電基板１０６が備える電荷消費手段３００とを同じく電気的に接続した接地線Ｇ４とにより該電荷消費手段３００に集約される。従って、電荷消費手段３００と接地線Ｇ１（同電位接続手段２３０）との電気的な接続は、請求項３の発明として規定するように、前記ＦＧ中継基板１１３を介して接地線Ｇ４と接地線Ｇ３が配線されるものである。また、この実施例では後述する接地線Ｇと前記接地線Ｇ１，Ｇ３，Ｇ４により同電位接続手段の回路２４０を構成している。
【００２７】
電荷消費手段３００は、請求項１の発明に規定しかつ上述したように、前記接地線Ｇ１により同電位となった発射レール２００と発射装置Ｅにおける帯電電荷を集約して除電するものである。この電荷消費手段３００は、数〜数百オームの抵抗値を有する抵抗器であり、その一方は接地線Ｇにより接地されている。電荷消費手段３００は発射レール２００と発射装置Ｅにおける帯電電荷を急激に放電させるのではなく、緩やかに除電し、急激な放電に伴う静電誘導ノイズを軽減するように前記帯電電荷を接地するとともに、ノイズの原因となる大地を流れる迷走電流が接地線Ｇを通して弾球遊技機１０へ流れ込むことを緩和する作用を有するものである。
【００２８】
次に、発射装置Ｅのハンドルカバー２２２に取り付けられる発射ハンドルＥ１について図８を用いて説明する。この発射ハンドルＥ１の固定部２５０には、単発スイッチ検出部２５１、単発スイッチ２５２、駆動軸２５３、回動操作部２５４、軸止め部材２５５、握持部２５６が順次組付けられている。駆動軸２５３の両端はそれぞれ前記ハンドル連結ギヤ２２１と回動操作部２５４に連結され、該回動操作部２５４を遊技者が回動操作することにより前記ハンドル連結ギヤ２２１が回動される。回動操作部２５４の内部には接触検知部２６０が設けられており、回動操作部２５４に遊技者が接触したときには、図９に示す信号回路の構成により、接触検知部２６０が接触信号を発射制御装置２０１の発射制御回路３０３へ信号線３０１により送信する。接触検知部２６０は、遊技者の手が該接触検知部２６０に触れることによりその抵抗が変化することを検出して接触信号を発信する公知のセンサであり、種々のタイプが存在する。
【００２９】
発射ハンドルＥ１の単発スイッチ２５２は回動操作部２５４に遊技者の手が触れなければＯＮ状態となっており、前記単発スイッチ２５２のＯＮ信号が信号線３０２により発射制御装置２０１の発射制御回路３０３に送信される。このとき、前記発射制御回路３０３は接触検知部２６０から前記信号線３０１により送信される接触信号を受信していても発射装置Ｅのモータ２１３を回転させないようにする。一方、回動操作部２５４が遊技者の手により操作されると単発スイッチ２５２はＯＦＦ状態となって前記ＯＮ信号は発射制御回路３０３に送信されず、前記発射制御回路３０３はモータ２１３を回転可能なように制御する信号を信号線３０５によりモータ２１３に送信する。
【００３０】
接触検知部２６０と該接触検知部２６０からの接触信号を伝送する信号線３０１が接続されている回動操作部２５４は、弾球遊技機１０の前面の下側球受け皿３４から弾球遊技機１０の前面側へ突出して配設されており、外部ノイズや人為的なノイズに対しアンテナ状に作用するので、前記接触検知部２６０からの接触信号には人為的なノイズ等が重畳し易くなっている。前記人為的なノイズ等が重畳された接触信号が発射ハンドルＥ１の接触検知部２６０から前記信号線３０１により発射制御回路３０３に送信されると、発射制御回路３０３が前記ノイズが重畳された接触信号により発射装置Ｅのモータ２１３を誤作動させたり、該ノイズが重畳された接触信号により発射制御回路３０３等の電子部品を含む電子機器が破損したりするおそれがある。
【００３１】
そこで、前記発射装置Ｅのモータ２１３の誤動作等を防止するため、請求項４の発明として規定するように、前記接触検知部２６０が接続される発射制御装置２０１にノイズ除去手段３０４を設け、さらに請求項５の発明として規定するように、該ノイズ除去手段３０４が接触検知部２６０の信号線３０１に接続されている。この実施例では、前記ノイズ除去手段３０４として電界電子放出機構を用いた公知のサージ吸収素子であるサージプロテクタ（ＤＳＰ−３０１Ｎ、三菱マテリアル社製）を用いた。ただし、ノイズ除去手段３０４は前記サージプロテクタに限定されず、所定値以上のサージ電圧等を吸収するものであれば公知の他の素子、例えば半導体からなる素子等を用いてもよい。
【００３２】
前記ノイズ除去手段３０４（サージプロテクタ）は、ノイズ除去手段３０４に接続された接地線Ｇ２の一端に設けた圧縮端子を前記発射制御装置２０１を発射装置Ｅの発射装置取付面２０９に固定するねじ２０５で発射装置取付面２０９に固定することにより、前記同電位接続手段の回路２４０に電気的に接続して接地されている。これにより、請求項６の発明として規定するように、ノイズ除去手段３０４（サージプロテクタ）は同電位接続手段の回路２４０を構成する同電位接続手段２３０に電気的に接続して接地されることになる。
【００３３】
このサージプロテクタは、その放電開始電圧（この実施例では３００Ｖ）以上の電圧が該サージプロテクタに印加されると、そのマイクロギャップｄ間に電流が流れてサージプロテクタが導通し、過電圧をバイパスさせるサージ吸収作用を発揮させるものである。そして、前記マイクロギャップｄ間を流れた電流は同電位接続手段の回路２４０を通して接地されることとなる。一方、前記信号線３０１により発射制御回路３０３に送信される接触信号に人為的なノイズ等が重畳されていない正常時にはサージプロテクタは導通せず、該サージプロテクタはこれに接続した信号線３０１により送信される接触信号には何らの影響も与えないものである。
【００３４】
なお、この実施例では発射制御装置２０１の配設位置が前記同電位接続手段の回路２４０の一端である発射装置Ｅに近いため、サージプロテクタに接続された接地線Ｇ２を発射装置Ｅの発射装置取付面２０９に電気的に接続しているが、前記接地線Ｇ２を直接接地することにより前記サージプロテクタを導通した電流を接地するようにしてもよい。
【００３５】
本発明は以上説明した実施形態に限定されるものではなく、本発明の趣旨を逸脱しない範囲内において種々の変更を付加して実施することができる。また、上記実施例ではパチンコ遊技機を用いて説明してきたが、本発明はこれに限定されず、例えばアレンジボール機等の適宜の弾球遊技機に適用することも可能である。
【００３６】
【発明の効果】
以上図示し説明したように、請求項１の発明に係る弾球遊技機のノイズ除去機構によれば、発射装置の打球槌が発射レールの発射位置にある遊技球に当接したときに発生する静電誘導ノイズを軽減するため、発射レールと発射装置を同電位にする同電位接続手段を設けたものである。従って、前記打球槌と遊技球が当接する遊技球の発射時において打球槌と遊技球との間での放電を抑えることができ、静電誘導ノイズを効果的に軽減して弾球遊技機に設けられた複数の制御装置の誤動作や電子機器の破損を防止することができる。さらに、前記同電位接続手段と電気的に接続されて該同電位接続手段により同電位となった前記発射レールと前記発射装置における帯電電荷を、電荷消費手段によって集約して緩やかに除電すると共に、前記帯電電荷の急激な放電による静電誘導ノイズを軽減することができる。
【００３７】
請求項２の発明によれば、同電位接続手段は発射レールの発射レール取付面と発射装置の発射装置取付面とを電気的に接続するものであり、該同電位接続手段は発射レールと発射装置を弾球遊技機の機枠等へ取り付ける際に容易に設置することができる。
【００３８】
請求項３の発明によれば、電荷消費手段と同電位接続手段との電気的な接続は中継基板を介して配線されるのであり、該中継基板を介することで電気的な接続のための配線を効率よく行うことができる。
【００３９】
請求項４の発明によれば、発射装置の発射ハンドルに設けられ遊技者の接触を検知する接触検知部が接続される発射制御装置にノイズ除去手段を設けている。これにより、発射ハンドルの接触検知部に重畳し易い外部ノイズや人為的なノイズを効果的に除去し、発射制御装置の誤作動や該発射装置等の電子部品を含む電子機器の破損を防止することができる。
【００４０】
請求項５の発明によれば、ノイズ除去手段は接触検知部の信号線に接続されており、該信号線を伝送される接触信号に重畳した人為的なノイズ等を効果的に除去することができる。
【００４１】
請求項６の発明によれば、ノイズ除去手段は同電位接続手段に電気的に接続して接地されるものであり、前記接触信号に重畳した人為的なノイズ等についても同電位接続手段を介して効果的に除去することができる。
【図面の簡単な説明】
【図１】この発明の一実施例に係る弾球遊技機全体の正面図である。
【図２】同遊技機全体の裏面図である。
【図３】機枠等への発射レール、発射ハンドル、発射装置及び発射制御装置の取付け状況を示す
斜視図である。
【図４】発射レール、発射装置及び発射制御装置の構成を示す斜視図である。
【図５】発射レールと発射装置の正面図である。
【図６】発射装置の組立て状態を示す斜視図である。
【図７】発射レールと発射装置における帯電電荷を除電するノイズ除去機構を示す概略図である。
【図８】発射ハンドルの機構を示す斜視図である。
【図９】発射制御装置のノイズ除去機構を示す概略図である。
【符号の説明】
１０  弾球遊技機
１１３  ＦＧ中継基板
２００  発射レール
２０１  発射制御装置
２０６  打球槌
２０８  発射レール取付面
２０９  発射装置取付面
２１０  遊技球
２３０  同電位接続手段
２４０  同電位接続手段の回路
２６０  接触検知部
３００  電荷消費手段
３０１  接触検知部の信号線
３０４  ノイズ除去手段
Ｅ  発射装置
Ｅ１  発射ハンドル